(57)【要約】本発明は、燃料噴射装置（１）に関し、この燃料噴射装置は、第１部材と第２部材、上記第１部材とねじを介して係合して肩部（１０）を有し、上記第２部材に当接して上記第１及び第２部材を共に保持するキャップナット（９）、上記第１及び第２部材の相対的角位置を固定する位置決めピン（７）、上記第１及び第２部材内に構成されたチャンネル（１４）、及び上記チャンネルを開閉するように上記第１及び第２部材内を移動する往復動ニードル（６）を有する。
2004512132.tif 000002
【特許請求の範囲】
【請求項１】
その後端が取っ手のジョーに嵌め込み固定されるアームと、
前記アームの先端に結合され所定の間隔を置いて並んで配置される二つの鋸刃を備えた双鋸刃を含むことを特徴とする頬骨切断用鋸。
【請求項２】
第１項において、
前記双鋸刃のそれぞれの鋸刃は、前記アームの先端の両側面にある締結手段によって相互間隔を保持して肯定されるように構成されることを特徴とする頬骨切断用鋸。
【請求項３】
第２項において、
前記それぞれの鋸刃と、そのそれぞれの鋸刃が密着固定される前記アーム先端の側面の間に選択的に介在されて前記それぞれの鋸刃間の間隔調整を可能にする、少なとも一つ以上の間隔部材を更に含むことを特徴とする頬骨切断用鋸。
【請求項４】
第３項において、
相互密着される前記間隔部材らの左右面と前記アーム先端の両側面とには相互に対する上下方向の相対流動、及び前記各鋸刃の上下方向の流動を押さえ、前記鋸刃が前記アームに対し相対回転不能にする、上下流動防止構造を含むことを特徴とする頬骨切断用鋸。
【請求項５】
第２項乃至第４項いずれかの項において、
前記締結手段は、前記それぞれの鋸刃と前記アームとの先端を横に貫通するボルトとそのボルトに締結されるナットを含むことを特徴とする頬骨切断用鋸。
【発明の詳細な説明】
【０００１】
【発明の属する技術分野】
本発明は、突出している頬骨を引っ込めるための成形手術時、頬骨の一部を切断することに使用される頬骨切断用鋸に関するものであって、特に間隔を調整できる二つの鋸刃を備え予め設定した幅で一度に正確に切断することのできる頬骨切断用鋸に関する。
【０００２】
【従来の技術】
人体の頬骨は、顔の両側の目尻から突出した顔面骨で、適度な高さに突出している場合、顔に生気と立体感を与えたり、ふくよかな顔つきに見えるが、非常に多く出ていると、正面顔から顔の幅が広く見えて相対的に鼻が低く見えてしまうことにより顔の容貌を損なう要因となる。特に頬骨が凸に突出していて、しかも四角張った頬を持っていると厳しくて強い印象を与えたり、他人に拒絶反応を起こさせることさえもある。
【０００３】
これに対し、最近、突出した頬骨を引っ込め、印象を柔らかくする成形手術が広く行われている。
【０００４】
頬骨を引っ込める成形手術は、頬骨の突出方向と突出程度によって方法と難易度が異なる。頬骨が前方に突出した場合、突出した部分のみを削り取るだけで引っ込めることができるが、前方に突出した程度が深刻だったり、または側方に突出している場合、頬骨の一部を切断した後、両側から分離された部分を内側へ押し込み、切取られた両側断面を縫合することによって効果がある。
【０００５】
一方、頬骨成形手術で頬骨の一部を切断する時に使用された従来の頬骨切断用鋸（１０）は、図１に図示されたように、細長い直線棒状のアーム（１１）と、上記アーム（１１）の先端に装着された鋸刃（１２）からなっており、図２に図示されたように、そのアーム（１１）の後端側の固定端（１１ａ）が電動機具を内臓した取っ手（２０）のジョー（２１）に装着されるため、ジョー（２１）によって直線往復運動しながらその鋸刃部（１２）により切開された皮膚を通して露出された頭蓋骨（１００）の頬骨（１０１）が切断されるように構成されていた。
【０００６】
しかし、このような従来の頬骨切断用鋸を使用する場合、その鋸刃部（１２）が一つからなっているため、頬骨を部分的に切断するためには図３に図示されたように、少なくとも二度にわたる切断作業が必要で、その手術は大変な手間と時間がかかるという問題点があった。それだけではなく、頬骨を切断する際、視野確保が難しく、切開された皮膚を通して肉眼に頼って切断間隔を調整しなければならないため顔の両側の各頬骨切断幅の調整が非常に難しく、手術後の顔の左右が非対称となる後遺症の発生頻度が非常に高かった。
【０００７】
【発明が解決しようとしている課題】
これに対し本発明は、上述したような従来の頬骨切断用鋸が誘発する問題点を解消するための、予め間隔が調整され固定される二つの鋸刃を備え、一度の切断作業のみで頬骨の一部を予め設定した幅で正確に切断できる頬骨切断用鋸を提供することに目的がある。
【０００８】
【課題を解決するための手段】
本発明はによる頬骨切断用鋸は、その後端が取っ手のジョーに嵌め込み固定されるアームと上記のアームの先端に結合され所定の間隔を置いて並んで配置される二つの鋸刃を備える双鋸刃を含むことを特徴とする。
【０００９】
以上のような構成において、前記双鋸刃のそれぞれの鋸刃は、前記アームの先端の両側にある締結手段によって相互間隔を保持して固定されるように構成されることが望ましい。
【００１０】
又、前記双鋸刃の各鋸刃とその各鋸刃とが密着固定される前記アーム先端の側面間に選択的に介在され前記各鋸刃の間の間隔を調整可能にする少なくとも一つ以上の間隔部材を更に含んで構成される。
【００１１】
さらに、相互密着される前記間隔部材らの左右面と前記アーム先端の両側面に相互に対する上下方向の相対流動及び前記各鋸刃の上下方向の流動を抑止して前記各鋸刃が前記アームに対して相対回転されないように上下流動防止構造が含まれる。
【００１２】
また、前記締結手段としての、前記それぞれの鋸刃と前記アームの先端を横に貫通するボルトとそのボルト先端に締結されるナットを含んで構成される。
【００１３】
【発明の実施形態】
以下、本発明による頬骨切断用刃の構成と作用を望ましい実施例を通してさらに詳しく説明する。
【００１４】
図４は、本発明の一実施例による頬骨切断用鋸の斜視図であり、図５は、本発明の一実施例による頬骨切断用鋸が装着された電動鋸の斜視図である。
【００１５】
図４に図示されたごとく、本発明の一実施例による頬骨切断用鋸（３０）は細長い棒状のアーム（３１）と；前記アーム（３１）の先端に結合される双鋸刃（３２）とから構成されている。
【００１６】
前記アーム（３１）は、その先端に双鋸刃（３２）に結合される所定長さの円形棒として結合構造が成形された後端の固定端（３１ａ）が、図５に示すように取っ手（２０）のジョー（ｊａｗ）（２１）に結合されることによって双鋸刃（３２）を取扱いやすいように取っ手（２０）の先端により所定の距離を置いて取っ手（２０）に固定するとともに、取っ手（２０）の直線往復の運動エネルギーを双鋸刃（３２）に伝達する。特にこの一実施例のように、取っ手が電動機具（図示されていない）を内臓する場合には、前記電動機具によって往復動するように構成された、ジョー（２１）の直線運動のエネルギーを双鋸刃（３２）に伝達する。
【００１７】
前記双鋸刃（３２）は、前記アーム（３１）の先端に結合されてそのアーム（３１）と同様に直線往復運動しながらその下部に沿って形成された多数の鋸目で頬骨を直接切断するものとして、一定した間隔を置いて並んで配置される二つの鋸刃（３２ａ、３２ｂ）を備え、頬骨の少なくとも二つの部分を同時に切断する。
【００１８】
以上のような構成からなっていることにより、本発明の一実施例による頬骨切断用鋸（３０）は取っ手（２０）に内臓された電動機具によって直線往復運動するジョー（２１）によってアーム（３１）と双鋸刃（３２）とが直接往復運動することになる。さらに図６に図示されたごとく、頬骨切断手術に使用される場合、双鋸刃（３２）の両側鋸刃（３２ａ、３２ｂ）で頬骨（１０１）の少なくとも二つの部分を同時に切断することができるため、一度の切断作業のみで頬骨（１０１）の一部を切断することができる。
【００１９】
一方、図７は、本発明の他の実施例による頬骨切断用鋸の分解斜視図である、
【００２０】
図示されたように、本発明の他の実施例による頬骨切断用鋸（４０）は、その双鋸刃（４２）のそれぞれの鋸刃（４２）が相互分離された状態で、アーム（４１）の先端にボルト（４３）とナット（４４）とから構成された締結手段によって固定されるように構成されており、特に双鋸刃（４２）のそれぞれの鋸刃（４２ａ、４２ｂ）が前記アーム（４１）の先端の両側側面に対し間隔部材（４５）を０〜４個まで選択的にそれぞれ介在され前記ボルト（４３）とナット（４４）とによって密着固定されるように構成されている。そして、その間隔部材（４５）らの左、右面とアーム（３１）先端の両側面とには、図７と８に示したように、上下流動防止構造、即ち相互呼応して突出されるか陥没される構造が形成されているため、それぞれの鋸刃（４２ａ、４２ｂ）が間隔部材（４５）を介在してアームの先端に結合された後、相互に対する上下方向の相対流動及び前記それぞれの鋸刃（４２ａ、４２ｂ）の上下方向流動が抑止されるように構成される。
【００２１】
【発明の効果】
以上のような構成からなる、本発明の他の実施例による頬骨切断用鋸（４０）を使用して頬骨（１０１）を切断する場合、双鋸刃（４２）の二つの鋸刃（４２ａ、４２ｂ）で頬骨（１０１）の二つの部分を同時に切断することができるため、一度の切断作業によって頬骨（１０１）の一部を切断することができる。特に間隔部材（４５）を更に含んで双鋸刃（４２）のそれぞれの鋸刃（４２ａ、４２ｂ）間の間隔調整が可能なため頬骨の切断幅を多様に調整することができるという利点がある。
【００２２】
以上から詳細に説明したように、本発明による頬骨切断用鋸は、取っ手または電動取っ手に内臓された電動機具によって直線往復運動をすることから、頬骨切断手術に用いる場合、予めその間隔を調整し結合した双鋸刃の両側鋸刃で頬骨の正確な切取間隔で二個所を同時に切断することができるため、一度の切断作業のみに頬骨の一部を予め設定された切断幅で正確に切断することができる。従って、本発明による頬骨切断用鋸を頬骨切断手術に用いると頬骨切断を非常に簡便にすることができ、頬骨の成形手術にかかる時間も大幅に短縮することができる。しかも両側の頬骨を予め設定した幅で正確に切断することができるため、頬骨の成形手術の際、左右頬骨の切断幅の誤差により引き起こされる、顔の左右が非対称になる後遺症の発生頻度を画期的に減らすことができる。
【図面の簡単な説明】
【図１】
従来頬骨切断用鋸の斜視図である。
【図２】
従来頬骨切断用の鋸が装着された電動鋸の斜視図である。
【図３】
従来頬骨切断用鋸の使用状態図である。
【図４】
本発明の一実施例による頬骨切断用鋸斜視図である。
【図５】
本発明の一実施例による頬骨切断用鋸が装着された電動鋸の斜視図である。
【図６】
本発明の一実施例による頬骨切断用鋸の使用状態図である。
【図７】
本発明の他の実施例による頬骨切断用鋸の分解斜視図である。
【図８】
図７のＶＩＩＩ−ＶＩＩＩ線断面図である。
【国際公開パンフレット】
2004512132.tif 000003
2004512132.tif 000004
2004512132.tif 000005
2004512132.tif 000006
2004512132.tif 000007
2004512132.tif 000008
2004512132.tif 000009
2004512132.tif 000010
2004512132.tif 000011
2004512132.tif 000012
2004512132.tif 000013
2004512132.tif 000014
2004512132.tif 000015
2004512132.tif 000016
【国際調査報告】
2004512132.tif 000017
2004512132.tif 000018